(57)【特許請求の範囲】
【請求項１】
番組を選択するための電子番組ガイドの表示を制御する電子番組ガイド表示制御装置において、
複数の番組のタイトルを含む番組表を表示させる表示制御手段と、
前記番組表から所定の番組を指定する指定手段と、
前記指定手段によって指定された前記番組を選択決定する選択決定手段と、
前記選択決定手段によって選択決定された前記番組が、今後放送される予定の番組であるか、またはそのとき放送されている番組であるかを判定する判定手段とを備え、
前記表示制御手段は、少なくとも前記番組表と前記指定手段によって指定された前記番組に関する番組情報を表示するための子画面に前記番組表と前記番組情報を表示させ、前記判定手段によって、前記選択決定手段によって選択決定された前記番組が今後放送される予定の番組であると判定された場合、その番組の受信予約を設定するための受信予約アイコンを表示させ、前記判定手段によって、前記選択決定手段によって選択決定された前記番組が、そのとき放送されている番組であると判定された場合、その番組の画像を、前記子画面に比べて大きな表示領域を有する親画面に表示させる
ことを特徴とする電子番組ガイド表示制御装置。
【請求項２】
前記受信予約アイコンが選択された場合、前記選択決定手段によって選択決定された前記番組の受信予約を行う受信予約手段をさらに備える
ことを特徴とする請求項１に記載の電子番組ガイド表示制御装置。
【請求項３】
前記表示制御手段は、前記受信予約アイコンを、前記番組表とは画面を切り替えて表示させる
ことを特徴とする請求項１に記載の電子番組ガイド表示制御装置。
【請求項４】
前記表示制御手段は、前記指定手段によって指定された前記番組が、そのとき放送されている番組であるとき、その番組の画像を前記番組情報として表示させる
ことを特徴とする請求項１に記載の電子番組ガイド表示制御装置。
【請求項５】
前記表示制御手段は、前記選択決定手段によって選択決定された前記番組が、そのとき放送されている番組であるとき、前記番組表および前記番組情報を消去し、その番組の画像のみを表示させる
ことを特徴とする請求項１に記載の電子番組ガイド表示制御装置。
【請求項６】
番組を選択するための電子番組ガイドの表示を制御する電子番組ガイド表示制御方法において、
複数の番組のタイトルを含む番組表を表示させ、
少なくとも前記番組表と、前記番組表から指定された前記番組に関する番組情報を表示するための子画面に前記番組表と前記番組情報を表示させ、
前記番組表から指定され、選択決定された番組が、今後放送される予定の番組であるか、またはそのとき放送されている番組であるかを判定し、
選択決定された前記番組が今後放送される予定の番組であると判定された場合、その番組の受信予約を設定するための受信予約アイコンを表示させ、
選択決定された前記番組が、そのとき放送されている番組であると判定された場合、その番組の画像を、前記子画面に比べて大きな表示領域を有する親画面に表示させる
ことを特徴とする電子番組ガイド表示制御方法。
【発明の詳細な説明】
【０００１】
【発明の属する技術分野】
本発明は、電子番組ガイド表示制御装置及び方法に関し、特に、選択した番組の番組情報として、その番組の代表的なシーンの動画または静止画を表示させることにより、その番組の内容を容易にイメージさせることができるようにした電子番組ガイド表示制御装置及び方法に関する。
【０００２】
【従来の技術】
最近、放送衛星、通信衛星等の衛星を介して、テレビジョン信号をディジタル化して伝送し、各家庭においてこれを受信するシステムが普及しつつある。このシステムにおいては、例えば、８０近くあるチャンネルを確保することが可能であるため、極めて多くの番組を放送することができる。
【０００３】
このようなシステムにおいては、多くの番組の中から所望の番組を確実に選択することができるようにするために、電子番組ガイド（ＥＰＧ：Ｅｌｅｃｔｒｉｃａｌ  Ｐｒｏｇｒａｍ  Ｇｕｉｄｅ）を伝送し、受信側においてこれを受信して表示し、この電子番組ガイドから所望の番組を選択することが提案されている。
【０００４】
ここで、従来のＥＰＧの表示例について、図１２を参照して説明する。メニューの表示を指定すると、図１２（ａ）に示すメニュー（ジャンル選択画面）が、画面全体に表示される。図１２（ａ）に示すジャンル選択画面には、「ＡＬＬ」（全てのジャンル）、「ＮＥＷＳ」（ニュース）、「ＭＯＶＩＥ」（映画）、「ＳＰＯＲＴＳ」（スポーツ）といった複数のジャンルが表示されており、ユーザは、リモートコマンダ等の操作装置を操作することによって、画面内のカーソル（但し、図１２（ａ）においては図示せず）を移動させ、これらの複数のジャンルの中から所望のジャンルを選択することができる。
【０００５】
図１２（ａ）のジャンル選択画面で所望のジャンルが選択されると、選択されたジャンルに対応して、図１２（ｂ）に示す番組表画面に表示が切り換えられる。
【０００６】
図１２（ｂ）に示す番組表画面においては、縦軸に放送局名（チャンネル）が、横軸に時刻が表されており、その２つの軸で規定される位置に、そのチャンネルで、その時刻に放送される番組のタイトルが表示されている。
【０００７】
例えば、図１２（ａ）のジャンル選択画面において、「ＡＬＬ」が選択された場合、モニタ装置（テレビジョン受像機）の画面が、ジャンル選択画面から図１２（ｂ）に示す番組表画面に切り換わる。切り換わった番組表画面には、各チャンネル毎の全てのジャンルの番組が表示される。
【０００８】
なお、図１２（ｂ）に示す番組表画面には、実際の番組表の一部分だけが表示されており、現在表示されている領域以外の位置を見たい場合には、図１３に示す１画面中の表示領域を、リモートコマンダ等の操作装置を用いて上下左右方向に移動させる。
【０００９】
ユーザは、番組表画面に表示されている番組群から、所望の番組の表示位置にカーソル（図示せず）を配置して指定することにより、その番組（選択した番組が現在放送中である場合）、または、その番組に関する補完情報（番組の放送時刻、出演者名、番組の内容等）（選択した番組が今後放送される予定の番組である場合）を視聴することができる。
【００１０】
【発明が解決しようとする課題】
しかしながら、従来のＥＰＧは、以下に示す課題を有している。
【００１１】
すなわち、従来のＥＰＧにおいては、番組表画面において今後放送される予定の番組を選択した場合に表示される情報が、主として、文字情報（放送時刻、出演者名、番組内容等）によって構成されているので、ユーザが、その番組の内容を十分にイメージすることが困難になるという課題がある。
【００１２】
また、番組表画面から所定の番組を指定し、その番組の画面（または、その番組に関する情報）をモニタ装置に表示させた場合において、番組表から他の番組（または、番組に関する情報）を確認するには、モニタ装置の表示を、元の番組表画面に、一旦切り換え、再び所望の番組を指定する必要がある。従って、ユーザは、番組表から複数の番組（または、番組に関する情報）を観察する場合、その都度、番組表に一旦戻すといった階層変更処理を余儀なくされ、操作が煩雑になってしまうという課題が生じる。
【００１３】
さらに、ユーザは、所定の番組の画像を表示させたまま、他の番組（または、番組に関する情報）を確認することができないという課題もある。
【００１４】
本発明はこのような状況に鑑みてなされたものであり、選択した番組の内容を、ユーザに十分にイメージさせるようにするとともに、操作性を向上させ、さらに、所定の番組と、その番組と異なる番組または番組に関する情報を同時に確認することができるようにすることを目的とする。
【００１５】
【課題を解決するための手段】
請求項１に記載の電子番組ガイド表示制御装置は、複数の番組のタイトルを含む番組表を表示させる表示制御手段と、番組表から所定の番組を指定する指定手段と、指定手段によって指定された番組を選択決定する選択決定手段と、選択決定手段によって選択決定された番組が、今後放送される予定の番組であるか、またはそのとき放送されている番組であるかを判定する判定手段とを備え、表示制御手段は、少なくとも番組表と指定手段によって指定された番組に関する番組情報を表示するための子画面に番組表と番組情報を表示させ、判定手段によって、選択決定手段によって選択決定された番組が今後放送される予定の番組であると判定された場合、その番組の受信予約を設定するための受信予約アイコンを表示させ、判定手段によって、選択決定手段によって選択決定された番組が、そのとき放送されている番組であると判定された場合、その番組の画像を、子画面に比べて大きな表示領域を有する親画面に表示させることを特徴とする。
【００１６】
請求項６に記載の電子番組ガイド表示制御方法は、複数の番組のタイトルを含む番組表を表示させ、少なくとも番組表と、番組表から指定された番組に関する番組情報を表示するための子画面に番組表と番組情報を表示させ、番組表から指定され、選択決定された番組が、今後放送される予定の番組であるか、またはそのとき放送されている番組であるかを判定し、選択決定された番組が今後放送される予定の番組であると判定された場合、その番組の受信予約を設定するための受信予約アイコンを表示させ、選択決定された番組が、そのとき放送されている番組であると判定された場合、その番組の画像を、子画面に比べて大きな表示領域を有する親画面に表示させることを特徴とする。
【００１９】
請求項１に記載の電子番組ガイド表示制御装置においては、表示制御手段が、複数の番組のタイトルを含む番組表を表示させ、指定手段が、番組表から所定の番組を指定する。選択決定手段は、指定手段によって指定された番組を選択決定し、判定手段が、選択決定手段によって選択決定された番組が、今後放送される予定の番組であるか、またはそのとき放送されている番組であるかを判定する。表示制御手段は、少なくとも番組表と指定手段によって指定された番組に関する番組情報を表示するための子画面に番組表と番組情報を表示させ、判定手段によって、選択決定手段によって選択決定された番組が今後放送される予定の番組であると判定された場合、その番組の受信予約を設定するための受信予約アイコンを表示させ、判定手段によって、選択決定手段によって選択決定された番組が、そのとき放送されている番組であると判定された場合、その番組の画像を、子画面に比べて大きな表示領域を有する親画面に表示させる。
【００２０】
請求項６に記載の電子番組ガイド表示制御方法においては、複数の番組のタイトルを含む番組表が表示され、少なくとも番組表と、番組表から指定された番組に関する番組情報を表示するための子画面に番組表と番組情報が表示される。番組表から指定され、選択決定された番組が、今後放送される予定の番組であるか、またはそのとき放送されている番組であるかが判定され、選択決定された番組が今後放送される予定の番組であると判定された場合、その番組の受信予約を設定するための受信予約アイコンが表示される。選択決定された番組が、そのとき放送されている番組であると判定された場合、その番組の画像が、子画面に比べて大きな表示領域を有する親画面に表示される。
【００２３】
【発明の実施の形態】
以下、本発明の実施例を図面を参照して説明する。
【００２４】
図１は、本発明を適用した電子番組ガイド表示制御装置の一実施例の構成を示すブロック図である。本実施例の電子番組ガイド表示制御装置（ＩＲＤ）１においては、アンテナ等を介して受信された放送波がチューナ２に入力される。この放送波には、ＥＰＧデータが重畳されている。
【００２５】
ＥＰＧデータには、番組表と、各番組に関する情報（以下、番組情報という）とが含まれている。番組表は、各番組のタイトル、放送時刻、放送チャンネル等により構成され、番組情報は、放送時刻、出演者名、番組内容等の文字情報と、その番組の代表的なシーンの静止画または動画による画像情報によって構成されている。
【００２６】
なお、上記放送波は、地上波、衛星放送波、有線放送波等のいずれであってもよい。また、受信した放送波が、アナログ信号またはディジタル信号のいずれかによって、チューナ２の内部の構成が変化する。
【００２７】
チューナ２は、この装置全体を制御する内部制御マイクロコンピュータ３（以下、内部制御マイコン３という）の制御に対応してチューニング処理を行うようになされている。チューナ２の出力は、ＥＰＧデータ抽出回路５に供給されるようになされている。なお、チューナ２の出力には、映像音声情報の他、上記番組情報も含まれている。
【００２８】
内部制御マイコン３は、ユーザによって操作される操作部４（装置本体に設けられている操作スイッチまたは図３に示すリモートコマンダ４Ａ等により構成される）からの操作コマンドに対応して、チューナ２、ＥＰＧデータ抽出回路５及び管面表示信号作成回路６を制御するようになされている。なお、この内部制御マイコン３の内部の詳細な構成については、図２を参照して後述する。
【００２９】
ＥＰＧデータ抽出回路５は、内部制御マイコン３の制御に対応して、チューナ２の出力に含まれているＥＰＧデータを抽出し、内部制御マイコン３に供給するようになされている。このＥＰＧデータは、内部制御マイコン３によって、表示画面用の画像データ（管面表示用データ）に変換され、管面表示信号作成回路６に供給されるようになされている。
【００３０】
また、ＥＰＧデータ抽出回路５に入力されたチューナ２の出力のうちの映像データ及び音声データは、それぞれ、映像信号再生回路７及び音声信号再生回路８に供給される。
【００３１】
管面表示信号作成回路６は、内部制御マイコン３から供給されたＥＰＧの管面表示用データをもとに、ＥＰＧの画像信号（管面表示信号）を作成して映像ミックス回路９に供給するようになされている。
【００３２】
映像信号再生回路７は、ＥＰＧデータ抽出回路５から供給された映像データを映像信号に再生し、その映像信号を映像ミックス回路９に供給するようになされている。
【００３３】
映像ミックス回路９は、映像信号再生回路７から供給された映像信号と管面表示信号作成回路６から供給されたＥＰＧの画像信号（管面表示信号）をミックスし、そのミックスした信号を映像出力として、モニタ装置（テレビジョン受像機）１０に出力するようになされている。
【００３４】
同様に、音声信号再生回路８は、ＥＰＧデータ抽出回路５から供給された音声データを音声信号に再生し、その音声信号（音声出力）をスピーカ１１に出力するようになされている。
【００３５】
次に、図１に示す内部制御マイコン３の内部の構成を、図２を参照して説明する。ＣＰＵ２０には、操作部４、チューナ２及びＥＰＧデータ抽出回路５からの操作コマンドまたはデータが、入出力インタフェース２３を介して入力される。
【００３６】
ＣＰＵ２０は、制御プログラムブロック２１に含まれている種々のプログラムをもとに、入出力インタフェース２３から入力されたデータまたは操作コマンドに対応して、種々の処理を行うようになされている。
【００３７】
制御プログラムブロック２１には、以下に示すプログラムが含まれている。すなわち、操作入力制御プログラム２１Ａは、操作部４から入力された操作コマンドに対応する処理を行うためのプログラムである。チューニング制御プログラム２１Ｂは、チューナ２のチューニング処理の制御、チューニング結果の判定等に用いられるプログラムである。
【００３８】
ＥＰＧ抽出制御プログラム２１Ｃは、ＥＰＧデータ抽出回路５のＥＰＧデータの抽出処理を制御するプログラムであり、管面表示用データ作成プログラム２１Ｄは、ＥＰＧデータ抽出回路５から供給されたＥＰＧデータをもとに、ＥＰＧの管面表示用データを作成するプログラムである。管面表示信号作成制御プログラム２１Ｅは、管面表示信号作成回路６の処理を制御するプログラムである。
【００３９】
データブロック２２には、種々の蓄積領域が設定されており、シリンダＥＰＧデータベース２２Ａ、管面表示用データ２２Ｂ等が蓄積されている。シリンダＥＰＧデータベース２２Ａは、モニタ装置１０に出力表示するＥＰＧデータの基礎データを蓄積するデータベースであり、管面表示用データ２２Ｂは、管面表示用データ作成プログラム２１Ｄの実行により作成され、データブロック２２のＶＲＡＭ（Ｖｉｄｅｏ  Ｒａｎｄｏｍ  Ａｃｃｅｓｓ  Ｍｅｍｏｒｙ）に書き込まれたシリンダＥＰＧの管面表示用のデータである。
【００４０】
次に、図１に示す操作部４の構成例について説明する。図３は、本実施例の電子番組ガイド表示制御装置１を遠隔操作する場合に用いられるリモートコマンダの構成例を示す平面図である（すなわち、このリモートコマンダ４Ａが図１に示す操作部４とされる）。
【００４１】
電源ボタンスイッチ１１１とテレビ電源ボタンスイッチ１１２は、それぞれ、電子番組ガイド表示制御装置（ＩＲＤ）１またはモニタ装置１０の電源をオンまたはオフするときに操作される。
【００４２】
消音ボタンスイッチ１１３を操作すると音声がミュートされ、再度操作すると、ミュートが解除される。
【００４３】
テレビ切換ボタンスイッチ１１４Ａ及びＩＲＤ切換ボタンスイッチ１１４Ｂは、このリモートコマンダ４Ａの各スイッチの機能を、モニタ装置１０に対応する機能にするか、または、電子番組ガイド表示制御装置１に対応する機能にするかを切り換えるときに操作される。
【００４４】
入力切換ボタンスイッチ１１５は、電子番組ガイド表示制御装置１への入力を切り換えるときに操作される。画面表示ボタンスイッチ１１６は、モニタ装置１０上にチャンネル番号等を表示させる場合に操作され、再度操作されるとその表示が消える。二重音声ボタンスイッチ１１７は、スピーカ１１から出力させる音声を、ステレオ、外国語、または日本語と外国語に切り換える場合に操作される。
【００４５】
０乃至９の数字が表示されている数字ボタンスイッチ１１８は、各々のボタンに表示されている数字を入力するとき操作される。選局ボタンスイッチ１１８Ａは、数字ボタンスイッチ１１８の操作が完了したとき、数字入力終了と、その入力した数字がチャンネルを表すものであることを示す意味で、それに続いて操作される。
【００４６】
また、上述したテレビ切換ボタンスイッチ１１４Ａが操作され、このリモートコマンダ４Ａがモニタ装置１０用のリモートコマンダとされている場合、数字ボタンスイッチ１１８の「７」のボタンの下側に配置されているボタンは「１０」を表すボタンとされ、「０」と表示されているボタンは「１１」を表すボタンとされ、選局ボタンスイッチ１１８Ａは「１２」を表すボタンとされる。モニタ装置１０には、押されたボタンに設定されている放送局（チャンネル）の番組が表示される。
【００４７】
メニューボタンスイッチ１１９は、モニタ装置１０に電子番組ガイドのメニュー画面（図示せず）を表示させるときに操作され、インフォボタンスイッチ１２０は、インフォ画面（図示せず）を表示させるときに操作される。
【００４８】
現番組ボタンスイッチ１２１と番組予告ボタンスイッチ１２２は、プロモーションチャンネルの選局に用いられ、それぞれ、現在放送中の番組、または今後放送される予定の番組の予告を表示させるとき操作され、番組表ボタンスイッチ１２３は、図７に示すようなＥＰＧ（番組表）を表示させるとき操作される。
【００４９】
セレクトボタン（決定キー）スイッチ１２８は、リモートコマンダ４Ａの上面に対して垂直方向に押下操作（セレクト操作）することができるようになされている。アップボタンスイッチ（上キー）１２４、ダウンボタンスイッチ（下キー）１２５、レフトボタンスイッチ（左キー）１２６、及びライトボタンスイッチ（右キー）１２７は、本実施例の電子番組ガイド表示制御装置１によって表示される番組表内のカーソル（例えば、図７を参照して後述するカーソル１００Ｘ１，１００Ｘ２，１００Ｙ，１００Ｚ）等を上下左右方向に移動させるとき（方向操作するとき）操作される。
【００５０】
ボリウムボタンスイッチ１２９とチャンネルアップダウンボタンスイッチ１３０は、ボリウムまたはチャンネルの番号を増減するとき操作される。
【００５１】
次に、本実施例の電子番組ガイド表示制御装置１の動作について、図４及び図５に示すフローチャートを参照して説明する。
【００５２】
ＣＰＵ２０は、最初に、操作入力制御プログラム２１Ａを実行することにより、リモートコマンダ４Ａ（操作部４）から入力される各種の操作コマンドに対応した処理を行う。
【００５３】
すなわち、図４に示すステップＳ１において、内部制御マイコン３のＣＰＵ２０は、リモートコマンダ４Ａ（操作部４）の番組表ボタンスイッチ１２３が押されたか否か（番組表表示コマンドが入力されたか否か）を判定する。
【００５４】
この間に、番組表ボタンスイッチ１２３以外のボタンスイッチが操作され、例えば、所定のチャンネルを選択する指令が入力されたとすると、ＣＰＵ２０は、入出力インタフェース２３を介して入力された操作コマンドに対応して、チューニング制御プログラム２１Ｂを実行し、チューナ２のチューニング処理を制御する。チューナ２には、アンテナ等を介して放送波が供給されており、チューナ２は、内部制御マイコン３（ＣＰＵ２０）の制御に対応したチューニング処理を行い、指定されたチャンネルの受信出力をＥＰＧデータ抽出回路５に供給する。
【００５５】
なお、チューナ２に供給される放送波には、１週間分のＥＰＧデータが数秒に１回の割合で重畳されている。このＥＰＧデータは、例えば、３時間に１回の割合で最新のデータに変更される。ＥＰＧデータ抽出回路５に供給されるチューナ２の出力には、このＥＰＧデータも含まれている。
【００５６】
内部制御マイコン３のＣＰＵ２０は、制御プログラムブロック２１に記憶されているＥＰＧデータ抽出制御プログラム２１Ｄを実行することによって、ＥＰＧデータ抽出回路５の処理を制御する。ＥＰＧデータ抽出回路５は、この制御に対応して、チューナ２の出力に含まれているＥＰＧデータを抽出し、内部制御マイコン３に供給する。内部制御マイコン３のＣＰＵ２０はこのデータを、シリンダＥＰＧデータベース２２Ａに蓄積させる。
【００５７】
管面表示信号作成回路６は、内部制御マイコン３（ＣＰＵ２０）の制御に対応して、内部制御マイコン３から供給された番組表の管面表示用データ２２Ｂを管面表示信号に変換し、映像ミックス回路９に供給する。
【００５８】
このとき、映像ミックス回路９には、ＥＰＧデータ抽出回路５から出力され、映像信号再生回路７によって再生された映像信号（チューナ２で選局された番組の映像信号）が入力されている。映像ミックス回路９は、この映像信号をモニタ装置１０に出力する。また、音声信号再生回路８で再生された音声信号がスピーカ１１に出力される。このようにして、モニタ装置１０とスピーカ１１に、指定したチャンネルの画像と音声が出力される（例えば、図６に示す番組がモニタ装置１０の画面上に表示され、その音声がスピーカ１１から出力される）。
【００５９】
ユーザは、例えば、番組表を表示させるとき、リモートコマンダ４Ａの番組表ボタンスイッチ１２３を操作する。
【００６０】
番組表ボタンスイッチ１２３が押されていない場合は、ステップＳ１の処理が繰り返される。リモートコマンダ４Ａの番組表ボタンスイッチ１２３が押された場合、番組表表示コマンドが内部制御マイコン３の入出力インタフェース２３を介してＣＰＵ２０に入力され、ステップＳ２に進む。
【００６１】
ステップＳ２においては、ＣＰＵ２０は、管面表示用データ作成プログラム２１Ｄを実行し、データブロック２２内に蓄積されているシリンダＥＰＧデータベース２２Ａに基づいて、番組情報の管面表示用データ２２Ｂを作成する。この管面表示用データ２２Ｂは、データブロック２２内に蓄積されるとともに、入出力インタフェース２３を介して管面表示信号作成回路６に出力される。また、ＣＰＵ２０は、管面表示信号作成制御プログラム２１Ｅを実行し、管面表示信号作成回路６の処理を制御する。すると、図７に示すように、番組表が、モニタ装置１０の管面の下部に、予め選局されている番組の画像（図６）に重ねられて表示される。以下、予め選択された番組が表示されている領域を親画面１０５Ａと呼ぶ。
【００６２】
本実施例の番組表においては、モニタ装置１０の管面が、縦方向に４つの領域に区分されており、その４つの領域は、それぞれ、以下のように分類されている。
【００６３】
すなわち、モニタ装置１０の管面の最も左側に配置されている領域Ｘ１には、１週間分の日にち、曜日が、日にちの若い順に、画面の上から下に、縦方向に並べられている。領域Ｘ１の右側に配置されている領域Ｘ２に、１日の時刻が、時刻の若い順に、画面の上から下に、縦方向に並べられている。
【００６４】
領域Ｘ２の右側に配置されている領域Ｙには、現在放送中の番組または、今後、放送される番組のタイトル名が、チャンネル番号、ステーションロゴ、放送時刻とともに、チャンネル番号の若い順、かつ、放送開始時刻の早い順に、画面の上から下に、縦方向に並べられている。
【００６５】
モニタ装置１０の管面の最も右側に配置されている領域Ｚには、番組のジャンル（「全部」、「映画」、「スポーツ」、「ニュース」、「ブックマーク」）が、縦方向に並べられている。
【００６６】
なお、以下の記載において、本実施例のような形態のＥＰＧを、シリンダＥＰＧと呼ぶ。
【００６７】
また、各領域Ｘ１，Ｘ２，Ｙ，Ｚには、ユーザが、リモートコマンダ４Ａを操作することによって移動可能なカーソル（領域Ｘ１のカーソル１００Ｘ１、領域Ｘ２のカーソル１００Ｘ２、領域Ｙのカーソル１００Ｙ（指定手段）、領域Ｚのカーソル１００Ｚ）が表示されている。
【００６８】
例えば、図７においては、日にちが表示されている領域Ｘ１では、カーソル１００Ｘ１が「３日」（すなわち、３日の日曜日）に配置されており、時刻が表示されている領域Ｘ２では、カーソル１００Ｘ２が午前８時に配置されている。領域Ｘ２においては、カーソル１００Ｘ２の配置されている時刻の数字（この場合、「８」）が、他の時刻の数字よりも大きく表示されるようになされている。
【００６９】
また、ジャンルが表示されている領域Ｚにおいては、カーソル１００Ｚが「全部」に配置されており、領域Ｙ（カーソル１００Ｙは、「百一匹わんちゃん」に配置されている）には、３日、日曜日の午前８時以降に放送される、全てのジャンルの番組のタイトルが、チャンネル番号、ステーションロゴ及び放送時刻とともに表示されている。
【００７０】
ユーザは、リモートコマンダ４Ａのレフトボタンスイッチ１２６またはライトボタンスイッチ１２７を操作することによって、領域Ｘ１，Ｘ２，Ｙ，Ｚのいずれかを選択することができる（選択された領域のカーソルは、上下方向に移動可能になる）。さらに、ユーザは、リモートコマンダ４Ａのアップボタンスイッチ１２４またはダウンボタンスイッチ１２５を操作することによって、選択した領域のカーソル（カーソル１００Ｘ１，１００Ｘ２，１００Ｙ，１００Ｚのいずれか）を、それぞれ、上下方向に移動させて、各領域を回転させる（スクロールさせる）。なお、図７においては、領域Ｙが選択されている（カーソル１００Ｙが、上下方向に移動可能とされている）。
【００７１】
さらに、ＣＰＵ２０は、番組表の領域Ｙと領域Ｚの間に、子画面１０５Ｂを配置し、番組表の領域Ｙのカーソル１００Ｙの配置されている番組が、いま放送されている番組である場合、その画像（動画像）を、子画面１０５Ｂに表示させる。例えば、いま現在の日時が、３日、日曜日、午前８時０５分であるとした場合において、図７に示すように、カーソル１００Ｙが「百一匹わんちゃん」（午前８時００分から午前９時００分まで放送されている）に配置されていると、ＣＰＵ２０は、「百一匹わんちゃん」の画像（動画像）を子画面１０５Ｂに表示させる。
【００７２】
また、カーソル１００Ｙの配置されている番組が、まだ放送されていない番組（今後放送される予定の番組）である場合、ＣＰＵ２０は、その番組の番組情報（文字情報及び画像情報を含む番組情報）を、子画面１０５Ｂに表示させる。例えば、いま現在の日時が、３日、日曜日、午前８時０５分であるとした場合において、図８に示すように、カーソル１００Ｙが「Ｊリーグ速報」（午前８時３０分から放送される予定であり、現在はまだ放送されていない）に配置されていると、ＣＰＵ２０は、「Ｊリーグ速報」の番組情報を子画面１０５Ｂに表示させる。この「Ｊリーグ速報」の番組情報は、放送時刻、出演者名、番組内容等の文字情報と、サッカーコート、サッカーゴール、サッカーボール等の画像情報（静止画）によって構成されている。従って、ユーザは、この画面を見ることによって、「Ｊリーグ速報」の番組内容をより容易にイメージすることができる。
【００７３】
次に、ステップＳ３に進み、ＣＰＵ２０は、リモートコマンダ４Ａの番組表ボタンスイッチ１２３、アップボタンスイッチ１２４、ダウンボタンスイッチ１２５、レフトボタンスイッチ１２６、ライトボタンスイッチ１２７、及びセレクトボタンスイッチ１２８のうちのいずれかのスイッチが押されているか否かを判定する（キー入力があるか否かを判定する）。これらのスイッチ１２３乃至１２８のいずれのスイッチも押されていない場合には、このステップＳ３の処理が繰り返される。一方、これらのスイッチ１２３乃至１２８のいずれかのスイッチが押されていると判定された場合、ステップＳ４に進む。
【００７４】
ステップＳ４においては、ＣＰＵ２０は、押されたスイッチがアップボタンスイッチ１２４またはダウンボタンスイッチ１２５のいずれかであるか否を判定する。そして、押されたスイッチがアップボタンスイッチ１２４またはダウンボタンスイッチ１２５のいずれかであると判定された場合、ステップＳ５に進む。
【００７５】
ステップＳ５では、ＣＰＵ２０は、移動可能なカーソルの存在する領域が、領域Ｘ１，Ｘ２，Ｙ，Ｚのうちのいずれであるのかを判定する。移動可能とされているカーソルが領域Ｘ１に配置されているカーソル１００Ｘ１である場合、ＣＰＵ２０は、ステップＳ６ａに進み、領域Ｘ１（すなわち、日にち及び曜日が表示されている領域）のカーソル１００Ｘ１を、アップボタンスイッチ１２４またはダウンボタンスイッチ１２５の操作に対応して上下方向に移動させる。これにより、日にち及び曜日の選択が行われる。
【００７６】
例えば、カーソル１００Ｘ１が３日、日曜日に配置されている場合において、ダウンボタンスイッチ１２５が１回押されると、カーソル１００Ｘ１が、４日、月曜日（すなわち、３日、日曜日の１つ下）に移動する。
【００７７】
ステップＳ５において、移動可能とされているカーソルが領域Ｘ２に配置されているカーソル１００Ｘ２であると判定された場合、ステップＳ６ｂに進み、領域Ｘ２（すなわち、時刻が表示されている領域）のカーソル１００Ｘ２が、アップボタンスイッチ１２４またはダウンボタンスイッチ１２５の操作に対応して上下方向に移動し、時刻の選択が行われる。
【００７８】
例えば、カーソル１００Ｘ２が午前８時に配置されている場合において、ダウンボタンスイッチ１２５が１回押されると、カーソル１００Ｘ２が午前９時（すなわち、午前８時の１つ下）に移動する。
【００７９】
ステップＳ５において、移動可能とされているカーソルが領域Ｙに配置されているカーソル１００Ｙであると判定された場合（すなわち、図７に示す場合）、ステップＳ６ｃに進み、領域Ｙ（すなわち、番組のタイトル等が表示されている領域）のカーソル１００Ｙが、アップボタンスイッチ１２４またはダウンボタンスイッチ１２５の操作に対応して上下方向に移動し、番組の選択が行われる。
【００８０】
例えば、図７に示すように、カーソル１００Ｙが第１０チャンネルの「百一匹わんちゃん」に配置されている場合において、ダウンボタンスイッチ１２５が１回押されると、図９に示すように、カーソル１００Ｙは、第１１チャンネルの「今日のニュース」（すなわち、第１０チャンネルの「百一匹わんちゃん」の１つ下に配置されている番組）に移動する。
【００８１】
ステップＳ５において、移動可能とされているカーソルが領域Ｚに配置されているカーソル１００Ｚである場合、ステップＳ６ｄに進み、領域Ｚ（すなわち、ジャンル名が表示されている領域）のカーソル１００Ｚが、アップボタンスイッチ１２４またはダウンボタンスイッチ１２５の操作に対応して上下方向に移動され、ジャンルの選択が行われる。
【００８２】
例えば、カーソル１００Ｚが「全て」に配置されている場合において、ダウンボタンスイッチ１２５が１回押されると、カーソル１００Ｚは、「映画」（すなわち、「全部」の１つ下に配置されているジャンル）に移動する。
【００８３】
ステップＳ６ａ乃至Ｓ６ｄにおいて各領域に表示されている項目の選択が終了すると、ステップＳ７に進み、現在、領域Ｙのカーソル１００Ｙの配置されている番組または番組情報が、子画面１０５Ｂに表示される。例えば、現在の時刻が、午前８時０５分であるとして、上述したように、ステップＳ６ｃにおいて、カーソル１００Ｙが、第１１チャンネルの「今日のニュース」（現在（午前８時０５分）放送中の番組）に配置された場合、図９に示すように、子画面１０５Ｂの表示が、「百一匹わんちゃん」の画面（図７）から「今日のニュース」の画面に切り換わる。
【００８４】
また、ステップＳ６ｃにおいて、カーソル１００Ｙが、第１４チャンネルの「Ｊリーグ速報」（いま現在放送されておらず、今後放送予定の番組）に配置された場合、図８に示すように、子画面１０５Ｂの表示が、「Ｊリーグ速報」の番組情報の画面に切り換わる。
【００８５】
本実施例においては、子画面１０５Ｂに表示される番組情報（今後放送予定の番組の番組情報）には、チャンネル番号、ステーションロゴ、放送時刻、出演者、番組の内容等の文字情報の他に、その番組の代表的な場面の静止画または動画（画像情報）が含まれている（「Ｊリーグ速報」の場合、サッカーゴール、サッカーボール等の静止画が表示される）。従って、ユーザは、画像情報を含む番組情報を見ることによって、その番組の内容を容易にイメージすることができる。
【００８６】
ステップＳ７の終了後においては、ステップＳ３に戻り、新たなキー入力待ちの状態となる。
【００８７】
一方、ステップＳ４において、ユーザの操作したキーが、アップボタンスイッチ１２４とダウンボタンスイッチ１２５のいずれでもないと判定された場合、ステップＳ８に進む。ステップＳ８においては、ユーザの操作したキーがライトボタンスイッチ１２７であるか否かが判定され、ライトボタンスイッチ１２７であると判定された場合、ステップＳ９に進む。
【００８８】
ステップＳ９においては、移動可能とされているカーソルの存在する領域（選択されている領域）が領域Ｘ１，Ｘ２，Ｙ，Ｚのいずれであるのかが判定され、領域Ｘ１（すなわち、日にち及び曜日の表示されている領域）に存在していると判定されるとステップＳ１０ａに進む。ステップＳ１０ａにおいては、移動可能なカーソルの存在する領域が、領域Ｘ１から領域Ｘ２（領域Ｘ１の右隣に配置されている領域）（時刻の表示領域）に移行する（カーソル１００Ｘ２が移動可能になる）。
【００８９】
ステップＳ９において、移動可能なカーソルの存在する領域（選択されている領域）が領域Ｘ２であると判定されると、ステップＳ１０ｂに進み、移動可能なカーソルの存在する領域が、領域Ｘ２から領域Ｙ（領域Ｘ２の右隣に配置されている領域）（番組のタイトル等の表示領域）に移行する（カーソル１００Ｙが移動可能になる）。
【００９０】
ステップＳ９において、移動可能なカーソルの存在する領域（選択されている領域）が領域Ｙであると判定されると、ステップＳ１０ｃに進み、移動可能なカーソルの存在する領域が、領域Ｙから領域Ｚ（領域Ｙの右隣に配置されている領域）（ジャンルの表示領域）に移行する（カーソル１００Ｚが移動可能になる）。
【００９１】
ステップＳ９において、移動可能なカーソルの存在する領域（選択されている領域）が領域Ｚであると判定されると、ステップＳ１０ｄに進み、そのキー入力が無効とされる（領域Ｚの右隣には、所定の領域が配置されていないため）。
【００９２】
ステップＳ１０ａ乃至Ｓ１０ｄにおける処理が終了すると、ステップＳ３に戻り、新たなキー入力待ちの状態となる。
【００９３】
一方、ステップＳ８において、ユーザの操作したキーがライトボタンスイッチ１２７ではないと判定された場合、図５に示すステップＳ１１に進み、ユーザの操作したキーがレフトボタンスイッチ１２６であるか否かが判定される。そして、レフトボタンスイッチ１２６であると判定された場合、ステップＳ１２に進み、移動可能とされているカーソルの存在する領域（選択されている領域）が、領域Ｘ１，Ｘ２，Ｙ，Ｚのいずれであるかのが判定される。
【００９４】
ステップＳ１２において、移動可能なカーソルの存在する領域が領域Ｘ１であると判定された場合、ステップＳ１３ａに進み、そのキー入力が無効とされる（領域Ｘ１の左隣には、所定の領域が配置されていないため）。
【００９５】
ステップＳ１２において、移動可能とされているカーソルの存在する領域（選択されている領域）が領域Ｘ２であると判定された場合、ステップＳ１３ｂに進み、移動可能なカーソルの存在する領域が、領域Ｘ２から領域Ｘ１（領域Ｘ２の左隣に配置されている領域）に移動される（カーソル１００Ｘ１が移動可能とされる）。
【００９６】
ステップＳ１２において、移動可能なカーソルの存在する領域が領域Ｙであると判定された場合、ステップＳ１３ｃに進み、移動可能なカーソルの存在する領域が、領域Ｙから領域Ｘ２（領域Ｙの左隣に配置されている領域）に移行される（カーソル１００Ｘ２が移動可能とされる）。
【００９７】
ステップＳ１２において、移動可能なカーソルの存在する領域が領域Ｚであると判定された場合、ステップＳ１３ｄに進み、移動可能なカーソルの存在するとされる領域が、領域Ｚから領域Ｙ（領域Ｚの左隣に配置されている領域）に移行される。
【００９８】
ステップＳ１３ａ乃至Ｓ１３ｄにおける処理が終了すると、ステップＳ３に戻り、新たなキー入力待ちの状態となる。
【００９９】
一方、ステップＳ１１において、ユーザの操作したキーがレフトボタンスイッチ１２６ではないと判定された場合、ステップＳ１４に進み、ユーザの操作したキーがセレクトボタンスイッチ（決定キー）１２８であるか否かが判定される。ステップＳ１４において、ユーザの操作したキーがセレクトボタンスイッチ１２８であると判定されると、領域Ｙのカーソル１００Ｙが配置されている番組（子画面１０５Ｂに表示されている番組）が選択されたものと認識されてステップＳ１５に進む。
【０１００】
ステップＳ１５においては、子画面１０５Ｂに表示されている番組または番組情報が、親画面１０５Ａに表示される。
【０１０１】
ステップＳ１５の処理が終了した後、及びステップＳ１４において、セレクトボタンスイッチ１２８が押されていないと判定された場合、ステップＳ１６に進み、番組表ボタンスイッチ１２３が押されたか否かが判定される。番組表ボタンスイッチ１２３が押されていないと判定された場合、ステップＳ３に戻り、新たなキー入力待ちの状態となる。
【０１０２】
一方、ステップＳ１６において、番組表ボタンスイッチ１２３が押されたと判定された場合、ステップＳ１７に進み、番組表及び子画面１０５Ｂが消去される。
【０１０３】
例えば、図９に示すように、領域Ｙのカーソル１００Ｙが、第１１チャンネルの「今日のニュース」（現在放送中の番組）に配置されている（子画面１０５Ｂには、「今日のニュース」が表示されいる）場合において、セレクトボタンスイッチ１２８が押されると、親画面１０５Ａの表示が「今日のニュース」に切り換えられる（このとき、子画面１０５Ｂにも、「今日のニュース」が表示されている（図示せず））（ステップＳ１５）。
【０１０４】
この状態（親画面１０５Ａ及び子画面１０５Ｂの両者に、「今日のニュース」が表示されている状態）において、番組表ボタンスイッチ１２３が押されると、図１０に示すように、番組表及び子画面１０５Ｂが消去され、親画面１０５Ａの表示（「今日のニュース」）が残る（ステップＳ１７）。
【０１０５】
また、図８に示すように、領域Ｙのカーソル１００Ｙが第１７チャンネルの「Ｊリーグ速報」（今後放送される予定の番組）に配置されている（子画面１０５Ｂには、「Ｊリーグ速報」の番組情報が表示されている）場合において、セレクトボタンスイッチ１２８が押されると、親画面１０５Ａの表示が「Ｊリーグ速報」の番組情報に切り換えられる（このとき、子画面１０５Ｂにも、「Ｊリーグ速報」の番組情報が表示されている）（ステップＳ１５）。
【０１０６】
この状態（親画面１０５Ａ及び子画面１０５Ｂの両者に、「Ｊリーグ速報」の番組情報が表示されている状態）において、番組表ボタンスイッチ１２３が押されると、図１１に示すように、番組表及び子画面１０５Ａが消去され、親画面１０５Ａの表示（「Ｊリーグ速報」の番組情報）が残る（ステップＳ１７）。
【０１０７】
親画面１０５Ａに番組情報が表示される場合、図１１に示すように、画面の右端に、ユーザが選択可能な各種のコマンドアイコンが表示される。図１１においては、コマンドアイコンとして、番組表を再度表示させるための「番組表」アイコン、現在表示されている番組情報の番組にブックマーク（しおり）を付す（番組をマーキングする）ための「ブックマーク」アイコン、この番組を、その放送開始時刻に、受信表示させるための「タイマ」アイコン、及びテレビショッピング等に用いられる「購入」アイコン（この実施例の場合には用いられない）が表示されている。
【０１０８】
ユーザは、リモートコマンダ４Ａのアップボタンスイッチ１２４、ダウンボタンスイッチ１２５を操作することによって、カーソル２００を移動させ、セレクトボタンスイッチ１２８を押下することによって、所望のコマンドを選択することができる。
【０１０９】
なお、小画面１０５Ｂに所定の画像情報が表示されている状態で、セレクトボタンスイッチ１２８を押下することなく、番組表ボタンスイッチ１２３が押された場合は、番組表と子画面１０５Ｂが消去され、おや画面１０５Ａだけの表示に戻る。
【０１１０】
次に、ステップＳ１８においては、親画面１０５Ａに、今後放送予定の番組の番組情報（例えば、図１１に示す「Ｊリーグ速報」の番組情報）が表示されているか否かが判定され、表示されていないと判定された場合（例えば、図１０に示すように、現在放送中の「今日のニュース」が表示されている場合）、ステップＳ１に戻り、番組表表示コマンドの入力待ちの状態になる。
【０１１１】
一方、ステップＳ１８において、親画面１０５Ａに、今後放送予定の番組の番組情報（例えば、図１１に示す「Ｊリーグ速報」の番組情報）が表示されていると判定された場合、ステップＳ１９に進む。ステップＳ１９においては、「番組表」アイコンが選択されたか否かが判定される。「番組表」アイコンが選択されている場合には、ステップＳ２に戻り、再び番組表がモニタ装置１０の画面の下側に表示される。一方、「番組表」アイコンが選択されていない場合においては、ステップＳ２０に進み、「ブックマーク」アイコンが選択されているか否かが判定される。
【０１１２】
ステップＳ２０において、「ブックマーク」アイコンが選択されていると判定された場合、ステップＳ２１に進み、この番組情報で紹介されている番組にブックマーク（しおり）が付され、この番組がデータブロック２２のブックマークリストに登録される。ステップＳ２１の処理の終了後において、ステップＳ１９に戻る。
【０１１３】
なお、番組表内の領域Ｚ（ジャンル選択領域）のブックマークアイコンにカーソル１００Ｚを配置することによって、ステップＳ２１でマーキングされた（ブックマークが付された）番組の一覧を、領域Ｙに表示させることができる。
【０１１４】
一方、ステップＳ２０において、「ブックマーク」アイコンが選択されていないと判定された場合、ステップＳ２２に進み、「タイマ」アイコンが選択されているか否かが判定される。ステップＳ２２において、「タイマ」アイコンが選択されていると判定された場合においては、ステップＳ２３に進み、この番組情報で紹介されている番組のタイマ予約処理（この番組を、データブロック２２の、その放送開始時刻に表示させるタイマ予約リストに登録する処理）が行われ、ステップＳ１９に戻る。一方、ステップＳ２２において、「タイマ」アイコンが選択されていないと判定された場合においては、ステップＳ２３をスキップしてステップＳ１９に戻る。
【０１１５】
ＣＰＵ２０は、このように、タイマ予約リストに番組が登録された場合、計時動作を行い、その放送開始時刻が到来したとき、チューナ２を制御し、その番組を受信表示させる。
【０１１６】
本実施例の電子番組ガイド表示制御装置１は、ユーザの選択した番組または番組情報を親画面１０５Ａに表示し、画面の下側に番組表と子画面１０５Ｂを表示する。子画面１０５Ｂには、番組表内における領域Ｙのカーソル１００Ｙの配置されている番組、またはその番組の番組情報が表示される。従って、ユーザは、２つの番組または番組情報を、画面を切り換えることなく、同時に確認することができる。
【０１１７】
以上の実施例においては、番組表と、カーソル１００Ｙの配置されている番組の画像情報が表示される子画面１０５Ｂを、親画面１０５Ａと同時に表示するようにしているが、親画面１０５Ａを削除し、番組表と子画面１０５Ｂをモニタ装置１０の画面全体に表示するようにしてもよい。このようにした場合においても、現在放送されている番組、または今後放送される予定の番組の画像情報を、番組表と同時にみることができ、ユーザは、その番組の内容を容易にイメージしながら、番組表から所望の番組を適宜切換ながら選択することができる。
【０１１８】
【発明の効果】
以上のように、請求項１または６に記載の電子番組ガイド表示制御装置及び方法によれば、今後放送される予定の番組が指定されたとき、その番組の番組情報が表示されるので、ユーザは、その番組の内容を容易にイメージすることができる。また、番組表と指定された番組の番組情報を子画面上に表示するようにしたので、迅速かつ確実に、所望の番組を選択することができる。
【図面の簡単な説明】
【図１】本発明を適用した電子番組ガイド表示制御装置の一実施例の構成を示すブロック図である。
【図２】図１に示す内部制御マイコン３の内部の構成例を示すブロック図である。
【図３】ユーザの操作するリモートコマンダの一構成例を示す平面図である。
【図４】図１に示す電子番組ガイド表示制御装置１の動作を説明するフローチャートである。
【図５】図１に示す電子番組ガイド表示制御装置１の動作を説明するフローチャートである。
【図６】モニタ装置１０の表示例を示す図である。
【図７】番組表と、現在放送されている番組の画像を表示させた場合の例を示す図である。
【図８】番組表と、今後放送される予定の番組の番組情報を表示させた場合の例を示す図である。
【図９】番組表と、現在放送されている番組の画像を表示させた場合の例を示す図である。
【図１０】第１１チャンネルの「今日のニュース」を選択した場合の表示例を示す図である。
【図１１】第１７チャンネルの「Ｊリーグ速報」を選択した場合の表示例を示す図である。
【図１２】従来のＥＰＧの表示例を示す図である。
【図１３】図１２（ｂ）に示す番組表の構成例を示す図である。
【符号の説明】
１  電子番組ガイド表示制御装置，  ２  チューナ，  ３  内部制御マイコン，  ４  操作部，  ４Ａ  リモートコマンダ，  ５  ＥＰＧデータ抽出回路，  ６  管面表示信号作成回路，  ７  映像信号再生回路，  ８  音声信号再生回路，  ９  映像ミックス回路，  １０  モニタ装置，  １１  スピーカ，  ２０  ＣＰＵ，  ２１  制御プログラムブロック，  ２１Ａ  操作入力制御プログラム，  ２１Ｂ  チューニング制御プログラム，  ２１Ｃ  番組情報抽出制御プログラム，  ２１Ｄ  管面表示用データ作成プログラム，  ２１Ｅ  管面表示信号作成制御プログラム，  ２２  データブロック，  ２２Ａ  シリンダＥＰＧデータベース，  ２２Ｂ  管面表示用データ，  ２３  入出力インタフェース，  １００Ｘ１，１００Ｘ２，１００Ｙ，１００Ｚ  カーソル，  １０５Ａ  親画面，  １０５Ｂ  子画面
【図１】
0003572598.tif 000002
【図２】
0003572598.tif 000003
【図３】
0003572598.tif 000004
【図４】
0003572598.tif 000005
【図５】
0003572598.tif 000006
【図６】
0003572598.tif 000007
【図７】
0003572598.tif 000008
【図８】
0003572598.tif 000009
【図９】
0003572598.tif 000010
【図１０】
0003572598.tif 000011
【図１１】
0003572598.tif 000012
【図１２】
0003572598.tif 000013
【図１３】
0003572598.tif 000014